(57)【要約】【課題】施設で発生した異常を他の施設に通知する。【解決手段】提示システム１０Ａは、センサ端末１Ａで検知した異常を、戸外提示部２Ａにて提示するシステムである。センサ端末１Ａは、特定領域２００に含まれる施設１０１に設けられている。戸外提示部２Ａは、施設１０１の戸外に設けられている。提示システム１０Ａは、出力部を備える。出力部は、戸外提示部２Ｂ，２Ｃにて異常を提示するための連動提示信号を、戸外提示部２Ｂ，２Ｃに向けて出力する。戸外提示部２Ｂ，２Ｃは、特定領域２００に含まれる施設１０２，１０３の戸外に設けられている。【選択図】図１
2020087369.tif 000002
【特許請求の範囲】
【請求項１】
特定領域に含まれる施設に設けられたセンサ端末で検知した異常を、前記施設の戸外に設けられた戸外提示部にて提示する提示システムであって、
前記特定領域に含まれる他の施設の戸外に設けられた他の戸外提示部にて前記異常を提示するための連動提示信号を、前記他の戸外提示部に向けて出力する出力部を備える、
提示システム。
【請求項２】
前記センサ端末が前記出力部を含み、
前記出力部は、直接的に、又は前記他の施設に設けられた他のセンサ端末、若しくは前記戸外提示部を介して間接的に、前記連動提示信号を前記他の戸外提示部に出力する、
請求項１に記載の提示システム。
【請求項３】
前記出力部は、前記戸外提示部にて前記異常を提示するための提示信号、及び前記連動提示信号を前記戸外提示部に出力し、
前記戸外提示部は、前記提示信号に従って前記異常を提示し、かつ前記連動提示信号を前記他の戸外提示部に出力する、
請求項２に記載の提示システム。
【請求項４】
前記出力部は、前記戸外提示部にて前記異常を提示するための提示信号を前記戸外提示部に出力し、かつ前記連動提示信号を前記他の戸外提示部に直接的に出力する、
請求項２に記載の提示システム。
【請求項５】
前記出力部は、前記戸外提示部にて前記異常を提示するための提示信号を前記戸外提示部に出力し、かつ前記連動提示信号を前記他のセンサ端末に出力し、
前記他のセンサ端末は、前記連動提示信号を前記他の戸外提示部に出力する、
請求項２に記載の提示システム。
【請求項６】
前記センサ端末からの異常信号を受信すると、前記戸外提示部にて前記異常を提示するための提示信号を前記戸外提示部に出力する中継端末を更に備え、
前記中継端末が前記出力部を含み、
前記出力部は、前記連動提示信号を前記他の戸外提示部に出力する、
請求項１に記載の提示システム。
【請求項７】
前記センサ端末からの異常信号を受信すると、前記戸外提示部にて前記異常を提示するための提示信号を前記戸外提示部に出力する中継端末を更に備え、
前記中継端末が前記出力部を含み、
前記出力部は、前記連動提示信号を前記他の施設に設けられた他の中継端末に出力し、
前記他の中継端末は、前記連動提示信号を前記他の戸外提示部に出力する、
請求項１に記載の提示システム。
【請求項８】
前記施設の戸内に設けられ、前記連動提示信号に従って前記異常を提示する戸内提示部を更に備える、
請求項１〜７のいずれか１項に記載の提示システム。
【請求項９】
特定領域に含まれる施設に設けられたセンサ端末で検知した異常を、前記施設の戸外に設けられた戸外提示部にて提示する提示システムの制御方法であって、
前記特定領域に含まれる他の施設の戸外に設けられた他の戸外提示部にて前記異常を提示するための連動提示信号を、前記他の戸外提示部に向けて出力する処理を含む、
提示システムの制御方法。
【請求項１０】
コンピュータシステムに、
請求項９に記載の提示システムの制御方法を実行させるための
プログラム。
【請求項１１】
特定領域に含まれる施設に設けられたセンサ端末で検知した異常を、前記施設の戸外に設けられた戸外提示部にて提示する提示システムに用いられる中継端末であって、
前記特定領域に含まれる他の施設の戸外に設けられた他の戸外提示部にて前記異常を提示するための連動提示信号を中継する、
中継端末。
【発明の詳細な説明】
【技術分野】
【０００１】
本開示は、提示システム、提示システムの制御方法、プログラム、及び中継端末に関する。より詳細には、本開示は、施設で発生した異常を提示する提示システム、提示システムの制御方法、プログラム、及び中継端末に関する。
【背景技術】
【０００２】
特許文献１には、例えば二階建ての住宅に設置される、無線式の屋外表示装置を備えた無線監視システムが記載されている。特許文献１に記載の無線監視システムでは、例えば、無線監視装置が無線火災センサからの火災検出電文を受信すると、この火災検出電文に対する発光制御電文を、無線中継器を経由して屋外表示装置に送信する。屋外表示装置は、無線監視装置からの発光制御電文に従って警告灯を点灯させる。
【先行技術文献】
【特許文献】
【０００３】
【特許文献１】特開２００６−１０６９９５号公報
【発明の概要】
【発明が解決しようとする課題】
【０００４】
ところで、特許文献１に記載の無線監視システム（提示システム）では、住宅（施設）で発生した火災（異常）を近隣の住宅（他の施設）に通知することができなかった。
【０００５】
本開示の目的は、施設で発生した異常を他の施設に通知することができる提示システム、提示システムの制御方法、プログラム、及び中継端末を提供することにある。
【課題を解決するための手段】
【０００６】
本開示の一態様に係る提示システムは、センサ端末で検知した異常を、戸外提示部にて提示する提示システムである。前記センサ端末は、特定領域に含まれる施設に設けられている。前記戸外提示部は、前記施設の戸外に設けられている。前記提示システムは、出力部を備える。前記出力部は、他の戸外提示部にて前記異常を提示するための連動提示信号を、前記他の戸外提示部に向けて出力する。前記他の戸外提示部は、前記特定領域に含まれる他の施設の戸外に設けられている。
【０００７】
本開示の一態様に係る提示システムの制御方法は、センサ端末で検知した異常を、戸外提示部にて提示する提示システムの制御方法である。前記センサ端末は、特定領域に含まれる施設に設けられている。前記戸外提示部は、前記施設の戸外に設けられている。前記提示システムの制御方法は、他の戸外提示部にて前記異常を提示するための連動提示信号を、前記他の戸外提示部に向けて出力する処理を含む。前記他の戸外提示部は、前記特定領域に含まれる他の施設の戸外に設けられている。
【０００８】
本開示の一態様に係るプログラムは、コンピュータシステムに、上述の提示システムの制御方法を実行させるためのプログラムである。
【０００９】
本開示の一態様に係る中継端末は、センサ端末で検知した異常を、戸外提示部にて提示する提示システムに用いられる中継端末である。前記センサ端末は、特定領域に含まれる施設に設けられている。前記戸外提示部は、前記施設の戸外に設けられている。前記中継端末は、他の戸外提示部にて前記異常を提示するための連動提示信号を中継する。前記他の戸外提示部は、前記特定領域に含まれる他の施設の戸外に設けられている。
【発明の効果】
【００１０】
本開示によれば、施設で発生した異常を他の施設に通知することができる、という利点がある。
【図面の簡単な説明】
【００１１】
【図１】図１は、本開示の一実施形態に係る提示システムの適用例を説明する図である。
【図２】図２は、同上の提示システムに用いられるセンサ端末のブロック図である。
【図３】図３は、同上の提示システムに用いられる中継端末のブロック図である。
【図４】図４は、同上の提示システムの動作を説明するシーケンス図である。
【図５】図５は、本開示の一実施形態の変形例１に係る提示システムの動作を説明するシーケンス図である。
【図６】図６は、本開示の一実施形態の変形例２に係る提示システムの動作を説明するシーケンス図である。
【図７】図７は、本開示の一実施形態の変形例３に係る提示システムの動作を説明するシーケンス図である。
【図８】図８は、本開示の一実施形態の変形例４に係る提示システムの動作を説明するシーケンス図である。
【図９】図９は、本開示の一実施形態の変形例５に係る提示システムの模式図である。
【発明を実施するための形態】
【００１２】
（実施形態）
（１）概要
以下、実施形態に係る提示システム１０の概要について、図１を参照して説明する。
【００１３】
実施形態に係る提示システム１０は、例えば、図１に示すように、複数の提示システム１０の各々を連動させる連動提示システム２０に用いられる。連動提示システム２０は、複数（実施形態では３つ）の提示システム１０と、サーバ４と、を備えている。ただし、サーバ４については、連動提示システム２０に含まれていてもよいし、含まれていなくてもよい。つまり、連動提示システム２０は、少なくとも複数の提示システム１０を備えていればよい。さらに、提示システム１０の個数も３つに限らず、２つであってもよいし、４つ以上であってもよい。
【００１４】
提示システム１０は、図１に示すように、センサ端末１と、戸外提示部２と、中継端末３と、を備えている。
【００１５】
センサ端末１は、例えば、施設１００に設けられた警報器（住警器）である。施設１００は、例えば、戸建て住宅である。施設１００は、特定領域２００に含まれている。特定領域２００は、例えば、市区町村等の行政区画である。センサ端末１は、施設１００内の空間の天井、又は壁等に取り付けられる。センサ端末１は、施設１００で発生した異常を検知する検知機能と、検知機能にて異常を検知した場合に報知する報知機能と、を有し、異常に関する報知動作を行う。センサ端末１は、上記異常として、例えば施設１００で発生した火災を検知し、火災に関する報知動作を行う。すなわち、センサ端末１は、火災発生時において警報音等を出力する。なお、センサ端末１の検知対象は、火災に限らず、例えば、ガス漏れ、又は不完全燃焼によるＣＯ（一酸化炭素）の発生等であってもよい。
【００１６】
戸外提示部２は、例えば、施設１００の戸外（屋外）に設けられた表示灯である。戸外提示部２は、例えば、施設１００の玄関の外壁に取り付けられている。戸外提示部２は、センサ端末１の検知結果に応じて、センサ端末１又は中継端末３から出力される提示信号に従って点灯する。したがって、戸外提示部２は、センサ端末１及び中継端末３の少なくとも一方と通信可能であることが好ましい。
【００１７】
中継端末３は、例えば、ＨＥＭＳ（Home Energy Management System）のコントローラである。中継端末３は、施設１００に設けられた複数の機器と通信可能である。複数の機器は、例えば、照明器具、空調機器等を含む。中継端末３は、更に、センサ端末１及び戸外提示部２とも通信可能である。また、中継端末３は、インターネット等のネットワーク５を介してサーバ４と通信可能である。中継端末３は、サーバ４を介して、他の施設１００に設けられた他の中継端末３とも通信可能である。
【００１８】
実施形態に係る提示システム１０は、センサ端末１で検知した異常（ここでは火災）を、戸外提示部２にて提示する提示システム１０である。センサ端末１は、特定領域２００に含まれる施設１００に設けられている。戸外提示部２は、施設１００の戸外に設けられている。提示システム１０は、出力部（例えばセンサ端末１の通信部１２）を備える。出力部は、他の戸外提示部２にて異常を提示するための連動提示信号を、他の戸外提示部２に向けて出力する。他の戸外提示部２は、特定領域２００に含まれる他の施設１００の戸外に設けられている。
【００１９】
実施形態に係る中継端末３は、センサ端末１で検知した異常を、戸外提示部２にて提示する提示システム１０に用いられる中継端末３である。センサ端末１は、特定領域２００に含まれる施設１００に設けられている。戸外提示部２は、施設１００の戸外に設けられている。中継端末３は、他の戸外提示部２にて異常を提示するための連動提示信号を中継する。他の戸外提示部２は、特定領域２００に含まれる他の施設１００の戸外に設けられている。
【００２０】
実施形態に係る提示システム１０及び中継端末３では、センサ端末１が施設１００で発生した異常を検知した場合に、他の戸外提示部２にて異常を提示するための連動提示信号を直接的に、又は間接的に、他の戸外提示部２に出力している。そのため、連動提示信号に従って他の戸外提示部２が異常を提示することにより、施設１００で発生した異常を他の施設１００に通知することができる。
【００２１】
（２）構成
以下、実施形態に係る提示システム１０を用いた連動提示システム２０の構成について、図１〜図３を参照して説明する。実施形態に係る連動提示システム２０は、図１に示すように、複数（実施形態では３つ）の提示システム１０と、サーバ４と、を備えている。また、複数の提示システム１０の各々は、図１に示すように、センサ端末１と、戸外提示部２と、中継端末３と、を備えている。
【００２２】
以下の説明において、複数の提示システム１０を区別する場合には、複数の提示システム１０の各々を、「提示システム１０Ａ，１０Ｂ，１０Ｃ」ともいう。さらに、複数のセンサ端末１を区別する場合には、複数のセンサ端末１の各々を、「センサ端末１Ａ，１Ｂ，１Ｃ」ともいう。また、複数の戸外提示部２を区別する場合には、複数の戸外提示部２の各々を、「戸外提示部２Ａ，２Ｂ，２Ｃ」ともいう。また、複数の中継端末３を区別する場合には、複数の中継端末３の各々を、「中継端末３Ａ，３Ｂ，３Ｃ」ともいう。さらに、複数の提示システム１０が設けられた複数の施設１００を区別する場合には、複数の施設１００の各々を、「施設１０１，１０２，１０３」ともいう。
【００２３】
（２．１）センサ端末
センサ端末１は、例えば、施設１００に設けられた警報器（住警器）である。センサ端末１は、施設１００で発生した異常（ここでは火災）を検知する検知機能と、検知機能によって異常を検知した場合に報知する報知機能と、を有している。センサ端末１は、図２に示すように、制御部１１と、通信部１２と、検知部１３と、報知部１４と、記憶部１５と、バッテリと、を備えている。バッテリは、例えば、リチウム電池である。センサ端末１は、バッテリから供給される電力によって動作する。
【００２４】
制御部１１は、例えば、１以上のプロセッサ及び１以上のメモリを有するコンピュータシステムを主構成とする。そして、コンピュータシステムのメモリに記録されたプログラムを、コンピュータシステムのプロセッサが実行することにより、制御部１１の機能が実現される。プログラムは、メモリに予め記録されていてもよいし、インターネット等の電気通信回線を通じて、又はメモリカード等の非一時的な記録媒体に記録されて提供されてもよい。
【００２５】
制御部１１は、検知部１３からの検知信号（後述する）に基づいて、火災の発生の有無を判断する。例えば、制御部１１は、検知信号が示す電圧レベルが予め定められた閾値以上である場合に、火災が発生したと判断する。制御部１１は、火災が発生したと判断した場合、報知部１４から警報音を出力させる。警報音が音声メッセージである場合には、制御部１１は、記憶部１５に記憶されているメッセージデータに基づいて、音声メッセージに対応した音声信号を生成する。そして、報知部１４は、制御部１１が生成した音声信号に基づいた音声メッセージを出力する。
【００２６】
通信部１２は、例えば、戸外提示部２及び中継端末３と通信を行うための通信インターフェースを含む。通信部１２は、戸外提示部２及び中継端末３との間で、例えば９２０ＭＨｚ帯の電波を利用した無線通信を行う。通信部１２は、戸外提示部２（２Ａ）との無線通信により、少なくとも戸外提示部２に対して提示信号を送信（出力）する。提示信号は、施設１００において異常（ここでは火災）が発生したことを戸外提示部２にて提示するための信号である。通信部１２は、更に、他の戸外提示部としての戸外提示部２Ｂ，２Ｃとも通信可能である。通信部１２は、少なくとも戸外提示部２Ｂ，２Ｃに対して連動提示信号を送信（出力）する。連動提示信号は、施設１００において発生した異常（ここでは火災）を、施設１００とは別の他の施設１００（１０２，１０２）に設けられた戸外提示部２Ｂ，２Ｃにて提示するための信号である。さらに、通信部１２は、中継端末３との無線通信により、少なくとも中継端末３に対して検知部１３の検知信号を送信する。ここで、通信部１２から送信される無線信号には、戸外提示部２及び中継端末３の各々を識別するための識別情報が含まれている。識別情報は、例えば、戸外提示部２及び中継端末３の各々に割り当てられたＩＰアドレス、ＭＡＣアドレス、又は名称等である。
【００２７】
検知部１３は、警報音の発報対象となる火災に関する情報を検知する機能（検知機能）を有している。検知部１３は、例えば、煙を検知する光電式のセンサを含む。したがって、検知部１３が検知する情報は、煙に関する情報である。検知部１３は、発光部及び受光部を有している。発光部は、例えば発光ダイオード（ＬＥＤ）を含む。受光部は、例えばフォトダイオードを含む。ここで、検知部１３の筐体内部は、ラビリンス構造になっている。そして、発光部及び受光部は、筐体のラビリンス内において、受光部の受光面が発光部の光軸上から外れるように配置されている。火災の発生時には、筐体に設けられた孔を通じて、煙がラビリンス内に導入され得る。
【００２８】
筐体のラビリンス内に煙が存在しない場合、発光部の照射光は、受光部の受光面にほとんど到達しない。一方、筐体のラビリンス内に煙が存在する場合、発光部の照射光が煙によって散乱し、散乱した光の一部が受光部の受光面に到達する。つまり、検知部１３は、煙によって散乱された発光部の照射光を受光部で受光する。検知部１３は、受光部で受光した光量に応じた電圧レベルを示す電気信号（検知信号）を制御部１１に出力する。
【００２９】
報知部１４は、施設１００で発生した異常を検知部１３が検知した場合に、異常の発生を報知する機能（報知機能）を有している。報知部１４は、例えば、スピーカ及び発光部を含む。発光部は、例えば、赤色ＬＥＤを含む。報知部１４は、制御部１１にて火災が発生していると判断した場合に、スピーカを介して、例えば「ビュービュー火事です」等の警報音の発報を行う。さらに、報知部１４は、制御部１１にて火災が発生していると判断した場合に、赤色ＬＥＤを点滅（又は点灯）させる。
【００３０】
記憶部１５は、ＲＯＭ（Read Only Memory）、ＲＡＭ（Random Access Memory）、又はＥＥＰＲＯＭ（Electrically Erasable Programmable Read Only Memory）等から選択されるデバイスで構成される。記憶部１５は、警報音として出力する音声メッセージに係るメッセージデータを記憶している。さらに、記憶部１５は、各戸外提示部２（２Ａ，２Ｂ，２Ｃ）、及び各中継端末３（３Ａ，３Ｂ，３Ｃ）にそれぞれ割り当てられた識別情報を記憶している。
【００３１】
（２．２）中継端末
中継端末３は、例えば、ＨＥＭＳのコントローラである。中継端末３は、施設１００に設けられた複数の機器と通信可能である。中継端末３は、更に、センサ端末１、及び他の中継端末３（３Ｂ，３Ｃ）とも通信可能である。中継端末３は、図３に示すように、制御部３１と、第１通信部３２と、第２通信部３３と、記憶部３４と、表示部３５と、を備えている。
【００３２】
制御部３１は、例えば、１以上のプロセッサ及び１以上のメモリを有するコンピュータシステムを主構成とする。そして、コンピュータシステムのメモリに記録されたプログラムを、コンピュータシステムのプロセッサが実行することにより、制御部３１の機能が実現される。プログラムは、メモリに予め記録されていてもよいし、インターネット等の電気通信回線を通じて、又はメモリカード等の非一時的な記録媒体に記録されて提供されてもよい。
【００３３】
第１通信部３２は、センサ端末１と通信を行うための通信インターフェースを含む。第１通信部３２は、センサ端末１の通信部１２との間で、例えば９２０ＭＨｚ帯の電波を利用した無線通信を行う。第１通信部３２は、通信部１２との無線通信により、少なくとも検知部１３の検知信号を受信する。
【００３４】
第２通信部３３は、インターネット等のネットワーク５を介してサーバ４と通信を行うための通信インターフェースを含む。さらに、第２通信部３３は、サーバ４を介して他の中継端末３（３Ｂ，３Ｃ）の第２通信部３３とも通信可能である。この構成によれば、中継端末３がセンサ端末１から取得した検知部１３の検知信号を、サーバ４又は他の中継端末３に送信することもできる。
【００３５】
記憶部３４は、ＲＯＭ、ＲＡＭ、又はＥＥＰＲＯＭ等から選択されるデバイスで構成される。記憶部３４は、各センサ端末１（１Ａ，１Ｂ，１Ｃ）、及び他の中継端末３（３Ｂ，３Ｃ）にそれぞれ割り当てられた識別情報を記憶している。
【００３６】
表示部３５は、例えば液晶ディスプレイ、及び有機ＥＬ（Electro Luminescence）ディスプレイのような薄型のディスプレイ装置である。表示部３５は、例えば、センサ端末１から取得した検知部１３の検知結果（火災の発生）を表示する。
【００３７】
（２．３）戸外提示部
戸外提示部２は、例えば、施設１００の玄関に設けられた玄関表示灯である。戸外提示部２は、例えば、センサ端末１と通信を行うための通信インターフェースを含む。戸外提示部２は、センサ端末１との間で、例えば９２０ＭＨｚ帯の電波を利用した無線通信を行う。戸外提示部２は、センサ端末１との無線通信により、センサ端末１から提示信号を受信する。そして、戸外提示部２は、受信した提示信号に従って点灯し、火災の発生を提示する。
【００３８】
（３）動作
次に、実施形態に係る提示システム１０を用いた連動提示システム２０の動作について、図４を参照して説明する。以下では、特定領域２００に含まれる複数の施設１０１〜１０３のうち施設１０１において異常（火災）が発生した場合を例示するが、施設１０２又は施設１０３において異常が発生した場合も同様である。そのため、施設１０２又は施設１０３において異常が発生した場合については説明を省略する。
【００３９】
以下の説明では、施設１００において異常が発生しているため、施設１０２，１０３が「他の施設」、センサ端末１Ｂ，１Ｃが「他のセンサ端末」、戸外提示部２Ｂ，２Ｃが「他の戸外提示部」、中継端末３Ｂ，３Ｃが「他の中継端末」となる。
【００４０】
施設１０１において火災が発生すると、センサ端末１Ａが火災の発生を検知する（ステップＳ１１）。センサ端末１Ａは、火災の発生を検知すると、施設１０１の戸外に設けられた戸外提示部２Ａに対して提示信号を送信（出力）する（ステップＳ１２）。さらに、センサ端末１Ａは、施設１０２の戸外に設けられた戸外提示部２Ｂ、及び施設１０３の戸外に設けられた戸外提示部２Ｃに対して連動提示信号を送信（出力）する（ステップＳ１３）。
【００４１】
施設１０１の戸外に設けられた戸外提示部２Ａは、センサ端末１Ａからの提示信号に従って点灯し、施設１０１での異常の発生を提示する（ステップＳ１４）。さらに、施設１０２，１０３の戸外に設けられた戸外提示部２Ｂ，２Ｃは、センサ端末１Ａからの連動提示信号に従って点灯し、施設１０１での異常の発生を提示する（ステップＳ１５，Ｓ１６）。
【００４２】
実施形態に係る提示システム１０Ａでは、施設１０１に設けられたセンサ端末１Ａが施設１０１で発生した異常を検知すると、施設１０２，１０３の戸外に設けられた戸外提示部２Ｂ，２Ｃにて異常を提示している。したがって、施設１０１で発生した異常を、施設１０２，１０３（の住人）に通知することができる。
【００４３】
さらに、実施形態に係る提示システム１０Ａでは、センサ端末１Ａが、戸外提示部２Ｂ，２Ｃに対して直接的に、連動提示信号を送信（出力）している。つまり、実施形態に係る提示システム１０Ａでは、センサ端末１Ａの通信部１２が出力部である。これにより、連動提示信号を戸外提示部２Ｂ，２Ｃに伝達するための中継端末が不要であり、提示システム１０Ａの簡略化を図ることができる。
【００４４】
なお、図４に示すシーケンス図において、センサ端末１Ａは、戸外提示部２Ａに対して提示信号を送信した後に、戸外提示部２Ｂ，２Ｃに対して連動提示信号を送信している。これに対して、センサ端末１Ａは、戸外提示部２Ｂ，２Ｃに対して連動提示信号を送信した後に、戸外提示部２Ａに対して提示信号を送信してもよいし、同時に送信してもよい。さらに、実施形態では、提示信号と連動提示信号とが別々であるが、１つの信号で兼用してもよい。
【００４５】
（４）変形例
上述の実施形態は、本開示の様々な実施形態の一つに過ぎない。上述の実施形態は、本開示の目的を達成できれば、設計等に応じて種々の変更が可能である。また、提示システム１０Ａと同様の機能は、提示システム１０Ａの制御方法、コンピュータプログラム、又はコンピュータプログラムを記録した非一時的な記録媒体等で具現化されてもよい。
【００４６】
一態様に係る提示システム１０Ａの制御方法は、センサ端末１Ａで検知した異常を、戸外提示部２Ａにて提示する提示システム１０Ａの制御方法である。センサ端末１Ａは、特定領域２００に含まれる施設１０１に設けられている。戸外提示部２Ａは、施設１０１の戸外に設けられている。提示システム１０Ａの制御方法は、戸外提示部２Ｂ，２Ｃ（他の戸外提示部）にて異常を提示するための連動提示信号を、戸外提示部２Ｂ，２Ｃに向けて出力する処理を含む。戸外提示部２Ｂ，２Ｃは、特定領域２００に含まれる施設１０２，１０３（他の施設）の戸外に設けられている。
【００４７】
一態様に係るプログラムは、コンピュータシステムに、上述の提示システム１０Ａの制御方法を実行させるためのプログラムである。
【００４８】
以下、上述の実施形態の変形例を列挙する。以下に説明する変形例は、適宜組み合わせて適用可能である。
【００４９】
本開示における提示システム１０（１０Ａ，１０Ｂ，１０Ｃ）は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における提示システム１０としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【００５０】
複数の装置に分散されている提示システム１０の少なくとも一部の機能が、１つの筐体内に集約されていてもよい。例えば、センサ端末１と戸外提示部２と中継端末３とに分散されている提示システム１０の一部の機能が、１つの筐体内に集約されていてもよい。さらに、提示システム１０の少なくとも一部の機能、例えば、中継端末３の一部の機能がクラウド（クラウドコンピューティング）等によって実現されてもよい。
【００５１】
（４．１）変形例１
上述の実施形態では、センサ端末１Ａが、連動提示信号を戸外提示部２Ｂ，２Ｃに直接的に送信（出力）しているが、例えば、戸外提示部２Ａが、連動提示信号を戸外提示部２Ｂ，２Ｃに送信（出力）してもよい。言い換えると、出力部（センサ端末１の通信部１２）は、戸外提示部２Ａを介して間接的に、連動提示信号を戸外提示部２Ｂ，２Ｃ（他の戸外提示部）に出力してもよい。さらに言い換えると、出力部は、提示信号及び連動提示信号を戸外提示部２Ａに出力してもよい。変形例１では、戸外提示部２Ａが中継端末である。
【００５２】
以下、変形例１に係る提示システム１０及び連動提示システム２０について、図５を参照して説明する。変形例１に係る提示システム１０及び連動提示システム２０は、複数の戸外提示部２Ａ〜２Ｃ間で通信可能である点を除いて、上述の実施形態に係る提示システム１０及び連動提示システム２０と同様であり、同一の構成要素には同一の符号を付して説明を省略する。
【００５３】
変形例１に係る提示システム１０及び連動提示システム２０では、複数（ここでは３つ）の戸外提示部２Ａ〜２Ｃ間で通信可能である。複数の戸外提示部２Ａ〜２Ｃ間における通信は、例えば９２０ＭＨｚ帯の電波を利用した無線通信である。
【００５４】
変形例１に係る連動提示システム２０では、戸外提示部２Ａは、連携先となる他の戸外提示部２Ｂ，２Ｃの識別情報を記憶しており、この識別情報に対応して連動提示信号を出力する。具体的には、戸外提示部２Ａは、異常発生時において、他の戸外提示部２Ｂ，２Ｃの識別情報と連動提示信号とを含む無線信号を出力する。
【００５５】
次に、変形例１に係る提示システム１０を用いた連動提示システム２０の動作について、図５を参照して説明する。以下では、特定領域２００に含まれる複数の施設１０１〜１０３のうち施設１０１において異常（火災）が発生した場合を例示するが、施設１０２又は施設１０３において異常が発生した場合も同様である。そのため、施設１０２又は施設１０３において異常が発生した場合については説明を省略する。
【００５６】
施設１０１において火災が発生すると、センサ端末１Ａが火災の発生を検知する（ステップＳ２１）。センサ端末１Ａは、火災の発生を検知すると、施設１０１の戸外に設けられた戸外提示部２Ａに対して提示信号及び連動提示信号を送信（出力）する（ステップＳ２２）。戸外提示部２Ａは、センサ端末１Ａから受信した連動提示信号を、施設１０２，１０３の戸外に設けられた戸外提示部２Ｂ，２Ｃに送信（出力）する（ステップＳ２３）。
【００５７】
施設１０１の戸外に設けられた戸外提示部２Ａは、センサ端末１Ａから受信した提示信号に従って点灯し、施設１０１での異常の発生を提示する（ステップＳ２４）。さらに、施設１０２，１０３の戸外に設けられた戸外提示部２Ｂ，２Ｃは、戸外提示部２Ａから受信した連動提示信号に従って点灯し、施設１０１での異常の発生を提示する（ステップＳ２５，Ｓ２６）。
【００５８】
変形例１に係る提示システム１０Ａでは、施設１０１に設けられたセンサ端末１Ａが施設１０１で発生した異常を検知すると、施設１０２，１０３の戸外に設けられた戸外提示部２Ｂ，２Ｃにて異常を提示している。したがって、施設１０１で発生した異常を、施設１０２，１０３（の住人）に通知することができる。
【００５９】
さらに、変形例１に係る提示システム１０Ａでは、センサ端末１Ａから送信された連動提示信号を戸外提示部２Ａが中継している。そのため、例えば、センサ端末１Ａと戸外提示部２Ｂ，２Ｃとの距離が離れている場合でも、戸外提示部２Ａを介して連動提示信号を戸外提示部２Ｂ，２Ｃに伝達することができる。
【００６０】
各施設１００において複数のセンサ端末１が設けられていてもよい。この構成において、センサ端末１が住警器である場合には、提示信号及び連動提示信号を出力するセンサ端末１は、火災を検知した住警器であってもよいし、親機となる住警器であってもよい。この場合、火災を検知した住警器又は親機となる住警器は、戸外提示部２Ａに割り当てられた識別情報を記憶しており、この識別情報に対応して提示信号及び連動提示信号を出力する。
【００６１】
（４．２）変形例２
上述の実施形態では、センサ端末１Ａが、連動提示信号を戸外提示部２Ｂ，２Ｃに直接的に送信（出力）しているが、例えば、施設１０２，１０３に設けられたセンサ端末１Ｂ，１Ｃが、連動提示信号を戸外提示部２Ｂ，２Ｃに送信（出力）してもよい。言い換えると、出力部（センサ端末１の通信部１２）は、センサ端末１Ｂ，１Ｃ（他のセンサ端末）を介して間接的に、連動提示信号を戸外提示部２Ｂ，２Ｃ（他の戸外提示部）に出力してもよい。さらに言い換えると、出力部（センサ端末１Ａの通信部１２）は、連動提示信号をセンサ端末１Ｂ，１Ｃ（他のセンサ端末）に出力し、センサ端末１Ｂ，１Ｃは、連動提示信号を戸外提示部２Ｂ，２Ｃに出力してもよい。変形例２では、センサ端末１Ｂ，１Ｃが中継端末である。
【００６２】
以下、変形例２に係る提示システム１０について、図６を参照して説明する。変形例２に係る提示システム１０及び連動提示システム２０は、複数のセンサ端末１Ａ〜１Ｃ間で通信可能である点を除いて、上述の実施形態に係る提示システム１０及び連動提示システム２０と同様であり、同一の構成要素には同一の符号を付して説明を省略する。
【００６３】
変形例２に係る提示システム１０及び連動提示システム２０では、複数（ここでは３つ）のセンサ端末１Ａ〜１Ｃ間で通信可能である。複数のセンサ端末１Ａ〜１Ｃ間における通信は、例えば４２０ＭＨｚ帯の電波を利用した無線通信である。
【００６４】
変形例２に係る連動提示システム２０では、センサ端末１Ａは、連携先となる他のセンサ端末１Ｂ，１Ｃの識別情報を記憶しており、この識別情報に対応して連動提示信号を出力する。具体的には、センサ端末１Ａは、異常発生時において、他のセンサ端末１Ｂ，１Ｃの識別情報と連動提示信号とを含む無線信号を出力する。
【００６５】
次に、変形例２に係る提示システム１０を用いた連動提示システム２０の動作について、図６を参照して説明する。以下では、特定領域２００に含まれる複数の施設１０１〜１０３のうち施設１０１において異常（火災）が発生した場合を例示するが、施設１０２又は施設１０３において異常が発生した場合も同様である。そのため、施設１０２又は施設１０３において異常が発生した場合については説明を省略する。
【００６６】
施設１０１において火災が発生すると、センサ端末１Ａが火災の発生を検知する（ステップＳ３１）。センサ端末１Ａは、火災の発生を検知すると、施設１０２，１０３に設けられたセンサ端末１Ｂ，１Ｃに対して連動提示信号を送信（出力）する（ステップＳ３２）。さらに、センサ端末１Ａは、施設１０１の戸外に設けられた戸外提示部２Ａに対して提示信号を送信（出力）する（ステップＳ３３）。センサ端末１Ｂ，１Ｃは、センサ端末１Ａから受信した連動提示信号を、施設１０２，１０３の戸外に設けられた戸外提示部２Ｂ，２Ｃに送信する（ステップＳ３４，Ｓ３５）。
【００６７】
施設１０１の戸外に設けられた戸外提示部２Ａは、センサ端末１Ａから受信した提示信号に従って点灯し、施設１０１での異常の発生を提示する（ステップＳ３６）。さらに、施設１０２，１０３の戸外に設けられた戸外提示部２Ｂ，２Ｃは、センサ端末１Ｂ，１Ｃから受信した連動提示信号に従って点灯し、施設１０１での異常の発生を提示する（ステップＳ３７，Ｓ３８）。
【００６８】
変形例２に係る提示システム１０Ａでは、施設１０１に設けられたセンサ端末１Ａが施設１０１で発生した異常を検知すると、施設１０２，１０３の戸外に設けられた戸外提示部２Ｂ，２Ｃにて異常を提示している。したがって、施設１０１で発生した異常を、施設１０２，１０３（の住人）に通知することができる。
【００６９】
さらに、変形例２に係る提示システム１０Ａでは、センサ端末１Ａから送信された連動提示信号をセンサ端末１Ｂ，１Ｃが中継している。そのため、例えば、センサ端末１Ａと戸外提示部２Ｂ，２Ｃとの距離が離れている場合でも、センサ端末１Ｂ，１Ｃを介して連動提示信号を戸外提示部２Ｂ，２Ｃに伝達することができる。
【００７０】
なお、図６に示すシーケンス図において、センサ端末１Ａは、センサ端末１Ｂ，１Ｃに対して連動提示信号を送信した後に、戸外提示部２Ａに対して提示信号を送信している。これに対して、センサ端末１Ａは、戸外提示部２Ａに対して提示信号を送信した後に、センサ端末１Ｂ，１Ｃに対して連動提示信号を送信してもよいし、同時に送信してもよい。さらに、図６に示すシーケンス図において、センサ端末１Ｂが戸外提示部２Ｂに対して連動提示信号を送信した後に、センサ端末１Ｃが戸外提示部２Ｃに対して連動提示信号を送信している。これに対して、センサ端末１Ｃが戸外提示部２Ｃに対して連動提示信号を送信した後に、センサ端末１Ｂが戸外提示部２Ｂに対して連動提示信号を送信してもよいし、同時に送信してもよい。
【００７１】
各施設１００において複数のセンサ端末１が設けられていてもよい。この構成において、センサ端末１が住警器である場合には、提示信号及び連動提示信号を出力するセンサ端末１は、火災を検知した住警器であってもよいし、親機となる住警器であってもよい。この場合、火災を検知した住警器又は親機となる住警器は、戸外提示部２Ａに割り当てられた識別情報を記憶しており、この識別情報に対応して提示信号を出力する。さらに、火災を検知した住警器又は親機となる住警器は、他のセンサ端末１（住警器）に割り当てられた識別情報を記憶しており、この識別情報に対応して連動提示信号を出力する。
【００７２】
（４．３）変形例３
上述の実施形態では、センサ端末１Ａが、連動提示信号を戸外提示部２Ｂ，２Ｃに直接的に送信（出力）しているが、例えば、施設１０１に設けられた中継端末３Ａが、連動提示信号を戸外提示部２Ｂ，２Ｃに送信（出力）してもよい。言い換えると、中継端末３Ａが出力部（第１通信部３２）を含み、出力部は、連動提示信号を戸外提示部２Ｂ，２Ｃ（他の戸外提示部）に出力してもよい。以下、変形例３に係る提示システム１０及び連動提示システム２０について、図７を参照して説明する。変形例３に係る提示システム１０及び連動提示システム２０は、中継端末３が戸外提示部２と通信可能である点を除いて、上述の実施形態に係る提示システム１０及び連動提示システム２０と同様であり、同一の構成要素には同一の符号を付して説明を省略する。
【００７３】
変形例３に係る提示システム１０及び連動提示システム２０では、中継端末３が戸外提示部２（２Ａ，２Ｂ，２Ｃ）とも通信可能である。中継端末３の第１通信部３２は、戸外提示部２との間で、例えば９２０ＭＨｚ帯の電波を利用した無線通信を行う。
【００７４】
変形例３に係る連動提示システム２０では、中継端末３Ａは、連携先となる他の戸外提示部２Ｂ，２Ｃの識別情報を記憶しており、この識別情報に対応して連動提示信号を出力する。具体的には、中継端末３Ａは、異常発生時において、他の戸外提示部２Ｂ，２Ｃの識別情報と連動提示信号とを含む無線信号を出力する。
【００７５】
次に、変形例３に係る提示システム１０を用いた連動提示システム２０の動作について、図７を参照して説明する。以下では、特定領域２００に含まれる複数の施設１０１〜１０３のうち施設１０１において異常（火災）が発生した場合を例示するが、施設１０２又は施設１０３において異常が発生した場合も同様である。そのため、施設１０２又は施設１０３において異常が発生した場合については説明を省略する。
【００７６】
施設１０１において火災が発生すると、センサ端末１Ａが火災の発生を検知する（ステップＳ４１）。センサ端末１Ａは、火災の発生を検知すると、中継端末３Ａに対して異常信号（検知部１３の検知信号）を送信する（ステップＳ４２）。中継端末３Ａは、センサ端末１Ａから異常信号を受信すると、提示信号及び連動提示信号を生成する。そして、中継端末３Ａは、施設１０１の戸外に設けられた戸外提示部２Ａに提示信号を送信すると共に、施設１０２，１０３の戸外に設けられた戸外提示部２Ｂ，２Ｃに連動提示信号を送信する（ステップＳ４３，４４）。つまり、変形例３に係る提示システム１０Ａでは、中継端末３Ａの第１通信部３２が出力部である。
【００７７】
施設１０１の戸外に設けられた戸外提示部２Ａは、中継端末３Ａから受信した提示信号に従って点灯し、施設１０１での異常の発生を提示する（ステップＳ４５）。さらに、施設１０２，１０３の戸外に設けられた戸外提示部２Ｂ，２Ｃは、中継端末３Ａから受信した連動提示信号に従って点灯し、施設１０１での異常の発生を提示する（ステップＳ４６，Ｓ４７）。
【００７８】
変形例３に係る提示システム１０Ａでは、施設１０１に設けられたセンサ端末１Ａが施設１０１で発生した異常を検知すると、施設１０２，１０３の戸外に設けられた戸外提示部２Ｂ，２Ｃにて異常を提示している。したがって、施設１０１で発生した異常を、施設１０２，１０３（の住人）に通知することができる。
【００７９】
また、変形例３に係る提示システム１０Ａでは、センサ端末１Ａから送信された連動提示信号を中継端末３Ａが中継している。これにより、センサ端末１Ａが連動提示信号を戸外提示部２Ｂ，２Ｃに出力する場合に比べて、センサ端末１Ａの処理負担を軽減することができる。
【００８０】
なお、図７に示すシーケンス図において、中継端末３Ａは、戸外提示部２Ａに対して提示信号を送信した後に、戸外提示部２Ｂ，２Ｃに対して連動提示信号を送信している。これに対して、中継端末３Ａは、戸外提示部２Ｂ，２Ｃに対して連動提示信号を送信した後に、戸外提示部２Ａに対して提示信号を送信してもよいし、同時に送信してもよい。さらに、変形例３では、提示信号と連動提示信号とが別々であるが、１つの信号で兼用してもよい。
【００８１】
各施設１００において複数のセンサ端末１が設けられていてもよい。この構成において、センサ端末１が住警器である場合には、異常信号を出力するセンサ端末１は、火災を検知した住警器であってもよいし、親機となる住警器であってもよい。この場合、火災を検知した住警器又は親機となる住警器は、中継端末３Ａに割り当てられた識別情報を記憶しており、この識別情報に対応して異常信号を出力する。
【００８２】
（４．４）変形例４
上述の実施形態では、センサ端末１Ａが、連動提示信号を戸外提示部２Ｂ，２Ｃに直接的に送信（出力）しているが、例えば、施設１０２，１０３に設けられた中継端末３Ｂ，３Ｃが、連動提示信号を戸外提示部２Ｂ，２Ｃに送信（出力）してもよい。言い換えると、中継端末３Ａが出力部（第２通信部３３）を含み、出力部は、連動提示信号を中継端末３Ｂ，３Ｃ（他の中継端末）に出力し、中継端末３Ｂ，３Ｃは、連動提示信号を戸外提示部２Ｂ，２Ｃ（他の戸外提示部）に出力してもよい。
【００８３】
以下、変形例４に係る提示システム１０及び連動提示システム２０について、図８を参照して説明する。変形例４に係る提示システム１０及び連動提示システム２０は、中継端末３が戸外提示部２と通信可能である点を除いて、上述の実施形態に係る提示システム１０及び連動提示システム２０と同様であり、同一の構成要素には同一の符号を付して説明を省略する。
【００８４】
変形例４に係る提示システム１０及び連動提示システム２０では、上述したように、中継端末３Ａは、サーバ４を介して中継端末３Ｂ，３Ｃ（他の中継端末）と通信可能である。つまり、中継端末３Ａでは、第２通信部３３が、サーバ４を介して中継端末３Ｂ，３Ｃの第２通信部３３と通信可能である。
【００８５】
変形例４に係る連動提示システム２０では、中継端末３Ａは、異常発生時において、自己に割り当てられた識別情報と連動提示信号とを含む無線信号をサーバ４に対して出力する。サーバ４は、中継端末３Ａの連携先となる他の中継端末３Ｂ，３Ｃの識別情報を、中継端末３Ａの識別情報に対応付けて記憶している。そして、サーバ４は、受信した無線信号に含まれる識別情報が中継端末３Ａの識別情報であれば、他の中継端末３Ｂ，３Ｃの識別情報に対応して連動提示信号を出力する。具体的には、サーバ４は、異常発生時において、他の中継端末３Ｂ，３Ｃの識別情報と連動提示信号とを含む無線信号を出力する。
【００８６】
次に、変形例４に係る提示システム１０を用いた連動提示システム２０の動作について、図８を参照して説明する。以下では、特定領域２００に含まれる複数の施設１０１〜１０３のうち施設１０１において異常（火災）が発生した場合を例示するが、施設１０２又は施設１０３において異常が発生した場合も同様である。そのため、施設１０２又は施設１０３において異常が発生した場合については説明を省略する。
【００８７】
施設１０１において火災が発生すると、センサ端末１Ａが火災の発生を検知する（ステップＳ５１）。センサ端末１Ａは、火災の発生を検知すると、中継端末３Ａに対して異常信号（検知部１３の検知信号）を送信する（ステップＳ５２）。中継端末３Ａは、センサ端末１Ａから異常信号を受信すると、提示信号及び連動提示信号を生成する。そして、中継端末３Ａは、サーバ４に対して連動提示信号を送信（出力）する（ステップＳ５３）。さらに、中継端末３Ａは、施設１０１の戸外に設けられた戸外提示部２Ａに対して提示信号を送信（出力）する（ステップＳ５４）。
【００８８】
サーバ４は、中継端末３Ａから受信した連動提示信号を、施設１０２，１０３に設けられた中継端末３Ｂ，３Ｃに送信する（ステップＳ５５）。中継端末３Ｂは、戸外提示部２Ｂに対して連動提示信号を送信（出力）し、中継端末３Ｃは、戸外提示部２Ｃに対して連動提示信号を送信（出力）する（ステップＳ５６，Ｓ５７）。つまり、変形例４に係る提示システム１０Ａでは、中継端末３Ａの第２通信部３３が出力部である。
【００８９】
施設１０１の戸外に設けられた戸外提示部２Ａは、中継端末３Ａから受信した提示信号に従って点灯し、施設１０１での異常の発生を提示する（ステップＳ５８）。さらに、施設１０２，１０３の戸外に設けられた戸外提示部２Ｂ，２Ｃは、中継端末３Ｂ，３Ｃから受信した連動提示信号に従って点灯し、施設１０１での異常の発生を提示する（ステップＳ５９，Ｓ６０）。
【００９０】
変形例４に係る提示システム１０Ａでは、施設１０１に設けられたセンサ端末１Ａが施設１０１で発生した異常を検知すると、施設１０２，１０３の戸外に設けられた戸外提示部２Ｂ，２Ｃにて異常を提示している。したがって、施設１０１で発生した異常を、施設１０２，１０３（の住人）に通知することができる。
【００９１】
さらに、変形例４に係る提示システム１０Ａでは、センサ端末１Ａから送信された連動提示信号を中継端末３Ｂ，３Ｃが中継している。これにより、中継端末３Ａの処理負担を軽減することができる。
【００９２】
なお、図８に示すシーケンス図において、中継端末３Ａは、サーバ４に対して連動提示信号を送信した後に、戸外提示部２Ａに対して提示信号を送信している。これに対して、中継端末３Ａは、戸外提示部２Ａに対して提示信号を送信した後に、サーバ４に対して連動提示信号を送信してもよいし、同時に送信してもよい。さらに、図８に示すシーケンス図において、中継端末３Ｂが戸外提示部２Ｂに対して連動提示信号を送信した後に、中継端末３Ｃが戸外提示部２Ｃに対して連動提示信号を送信している。これに対して、中継端末３Ｃが戸外提示部２Ｃに対して連動提示信号を送信した後に、中継端末３Ｂが戸外提示部２Ｂに対して連動提示信号を送信してもよいし、同時に送信してもよい。
【００９３】
また、変形例４に係る連動提示システム２０では、中継端末３同士の通信を、サーバ４を介して行っているが、サーバ４を介さずに行ってもよい。この場合、各中継端末３が連携先となる他の中継端末３の識別情報を記憶しており、この識別情報に対応して連動提示信号を出力する。
【００９４】
各施設１００において複数のセンサ端末１が設けられていてもよい。この構成において、センサ端末１が住警器である場合には、異常信号を出力するセンサ端末１は、火災を検知した住警器であってもよいし、親機となる住警器であってもよい。この場合、火災を検知した住警器又は親機となる住警器は、中継端末３Ａに割り当てられた識別情報を記憶しており、この識別情報に対応して異常信号を出力する。
【００９５】
（４．５）変形例５
変形例５に係る提示システム１０のように、戸内提示部６を更に備えていてもよい。以下、変形例５に係る提示システム１０について、図９を参照して説明する。変形例５に係る提示システム１０は、戸内提示部６以外の構成については、上述の実施形態に係る提示システム１０と同様であり、同一の構成要素には同一の符号を付して説明を省略する。
【００９６】
変形例５に係る提示システム１０は、センサ端末１、戸外提示部２、中継端末３の他、戸内提示部６を更に備えている。戸内提示部６は、例えば、施設１０１内の空間の天井、又は壁等に取り付けられた屋内表示灯である。戸内提示部６は、センサ端末１と通信可能である。戸内提示部６は、センサ端末１との間で、例えば９２０ＭＨｚ帯の電波を利用した無線通信を行う。
【００９７】
変形例５に係る提示システム１０では、センサ端末１は、連携先となる戸内提示部６の識別情報を更に記憶しており、この識別情報に対応して連動提示信号を出力する。具体的には、センサ端末１は、異常発生時において、戸内提示部６の識別情報と連動提示信号とを含む無線信号を出力する。
【００９８】
戸内提示部６は、センサ端末１Ａが施設１００で発生した異常を検知すると、センサ端末１Ａからの提示信号に従って点灯し、施設１００での異常の発生を提示する。これにより、施設１００の戸内（にいる住人）に対しても施設１００の異常を提示することができる。
【００９９】
なお、変形例５では、戸内提示部６は、センサ端末１から連動提示信号を受信しているが、例えば、中継端末３から連動提示信号を受信してもよい。
【０１００】
各施設１００において複数のセンサ端末１が設けられていてもよい。この構成において、センサ端末１が住警器である場合には、提示信号及び連動提示信号を出力するセンサ端末１は、火災を検知した住警器であってもよいし、親機となる住警器であってもよい。この場合、火災を検知した住警器又は親機となる住警器は、戸外提示部２Ａに割り当てられた識別情報を記憶しており、この識別情報に対応して提示信号及び連動提示信号を出力する。さらに、火災を検知した住警器又は親機となる住警器は、戸内提示部６に割り当てられた識別情報を記憶しており、この識別情報と連動提示信号とを含む無線信号を出力する。
【０１０１】
（４．６）その他の変形例
上述の実施形態では、センサ端末１が施設１００で発生した火災を検知する住警器であるが、センサ端末１は、例えば、防犯センサであってもよい。例えば、施設１００の住人が留守の状態で、センサ端末１が人の存在を検知したり、玄関ドア、窓等が開かれたことを検知した場合に、施設１０２，１０３（他の施設）に設けられた戸外提示部２Ｂ，２Ｃ（他の戸外提示部）にて異常（不審者の侵入）を提示する。これにより、施設１００内に不審者がいることを施設１０２，１０３の住人に通知することができる。
【０１０２】
上述の実施形態では、戸外提示部２が表示灯であるが、戸外提示部２は表示灯に限らず、施設１００で発生した異常を提示できるようになっていればよく、例えば、文字等によって施設１００で発生した異常を表示する表示部を有していてもよい。この場合、例えば、戸外提示部２において、「施設１００で火災が発生しています」等のメッセージを表示部に表示させればよい。
【０１０３】
上述の実施形態では、施設１００が戸建て住宅であり、特定領域２００が行政区画であるが、例えば、特定領域がマンション等の集合住宅であり、施設が集合住宅の各住戸であってもよい。
【０１０４】
上述の実施形態では、マルチキャスト又はユニキャストにて無線信号を送信しているが、例えば、ブロードキャストにて無線信号を送信してもよい。さらに、提示信号及び連動提示信号の送信方法は、例えば、電力線搬送通信（ＰＬＣ：Power Line Communication）であってもよい。この場合、施設１０１〜１０３が同一バンク（同じ変圧器）に含まれていることが好ましい。
【０１０５】
上述の実施形態では、施設１０２，１０３の各々に対して連動提示信号を送信しているが、例えば、施設１０２で受信した連動提示信号を、施設１０２から施設１０３に送信するようにしてもよい。つまり、施設１０１からの無線信号（連動提示信号）を、マルチホップにて施設１０２，１０３に送信してもよい。この構成によれば、施設１０１からの無線信号が直接届かない範囲にある施設１００に対しても、施設１０１からの無線信号を送信することが可能になる、という利点がある。
【０１０６】
各施設１００において複数のセンサ端末１が設けられていてもよい。この構成において、センサ端末１が住警器である場合には、提示信号及び連動提示信号を出力するセンサ端末１は、火災を検知した住警器であってもよいし、親機となる住警器であってもよい。この場合、火災を検知した住警器又は親機となる住警器は、戸外提示部２Ａに割り当てられた識別情報を記憶しており、この識別情報に対応して提示信号を出力する。さらに、火災を検知した住警器又は親機となる住警器は、他の戸外提示部２Ｂ，２Ｃに割り当てられた識別情報を記憶しており、この識別情報に対応して連動提示信号を出力する。
【０１０７】
（まとめ）
以上説明したように、第１の態様に係る提示システム（１０Ａ）は、センサ端末（１Ａ）で検知した異常を、戸外提示部（２Ａ）にて提示する提示システム（１０Ａ）である。センサ端末（１Ａ）は、特定領域（２００）に含まれる施設（１０１）に設けられている。戸外提示部（２Ａ）は、施設（１０１）の戸外に設けられている。提示システム（１０Ａ）は、出力部（例えば通信部１２）を備える。出力部は、他の戸外提示部（２Ｂ，２Ｃ）にて異常を提示するための連動提示信号を、他の戸外提示部（２Ｂ，２Ｃ）に向けて出力する。他の戸外提示部（２Ｂ，２Ｃ）は、特定領域（２００）に含まれる他の施設（１０２，１０３）の戸外に設けられている。
【０１０８】
この態様によれば、他の施設（１０２，１０３）に設けられた他の戸外提示部（２Ｂ，２Ｃ）によって、施設（１０１）で発生した異常を他の施設（１０２，１０３）に通知することができる。
【０１０９】
第２の態様に係る提示システム（１０Ａ）では、第１の態様において、センサ端末（１Ａ）が出力部（通信部１２）を含む。出力部は、直接的に、又は他のセンサ端末（１Ｂ，１Ｃ）、若しくは戸外提示部（２Ａ）を介して間接的に、連動提示信号を他の戸外提示部（２Ｂ，２Ｃ）に出力する。他のセンサ端末（１Ｂ，１Ｃ）は、他の施設（１０２，１０３）に設けられている。
【０１１０】
この態様によれば、他の施設（１０２，１０３）に設けられた他の戸外提示部（２Ｂ，２Ｃ）によって、施設（１０１）で発生した異常を他の施設（１０２，１０３）に通知することができる。
【０１１１】
第３の態様に係る提示システム（１０Ａ）では、第２の態様において、出力部（通信部１２）は、戸外提示部（２Ａ）にて異常を提示するための提示信号、及び連動提示信号を戸外提示部（２Ａ）に出力する。戸外提示部（２Ａ）は、提示信号に従って異常を提示し、かつ連動提示信号を他の戸外提示部（２Ｂ，２Ｃ）に出力する。
【０１１２】
この態様によれば、連動提示信号を戸外提示部（２Ａ）で中継することにより、センサ端末（１Ａ）と他の戸外提示部（２Ｂ，２Ｃ）との距離が離れている場合でも、連動提示信号を他の戸外提示部（２Ｂ，２Ｃ）に伝達することができる。
【０１１３】
第４の態様に係る提示システム（１０Ａ）では、第２の態様において、出力部（通信部１２）は、戸外提示部（２Ａ）にて異常を提示するための提示信号を戸外提示部（２Ａ）に出力し、かつ連動提示信号を他の戸外提示部（２Ｂ，２Ｃ）に直接的に出力する。
【０１１４】
この態様によれば、連動提示信号を他の戸外提示部（２Ｂ，２Ｃ）に伝達するための中継端末が不要であり、提示システム（１０Ａ）の簡略化を図ることができる。
【０１１５】
第５の態様に係る提示システム（１０Ａ）では、第２の態様において、出力部（通信部１２）は、戸外提示部（２Ａ）にて異常を提示するための提示信号を戸外提示部（２Ａ）に出力し、かつ連動提示信号を他のセンサ端末（１Ｂ，１Ｃ）に出力する。他のセンサ端末（１Ｂ，１Ｃ）は、連動提示信号を他の戸外提示部（２Ｂ，２Ｃ）に出力する。
【０１１６】
この態様によれば、連動提示信号を他のセンサ端末（１Ｂ，１Ｃ）で中継することにより、センサ端末（１Ａ）と他の戸外提示部（２Ｂ，２Ｃ）との距離が離れている場合でも、連動提示信号を他の戸外提示部（２Ｂ，２Ｃ）に伝達することができる。
【０１１７】
第６の態様に係る提示システム（１０Ａ）は、第１の態様において、中継端末（３Ａ）を更に備える。中継端末（３Ａ）は、センサ端末（１Ａ）からの異常信号を受信すると、戸外提示部（２Ａ）にて異常を提示するための提示信号を戸外提示部（２Ａ）に出力する。中継端末（３Ａ）が出力部（第１通信部３２）を含む。出力部は、連動提示信号を他の戸外提示部（２Ｂ，２Ｃ）に出力する。
【０１１８】
この態様によれば、センサ端末（１Ａ）の処理負担を軽減することができる。
【０１１９】
第７の態様に係る提示システム（１０Ａ）は、第１の態様において、中継端末（３Ａ）を更に備える。中継端末（３Ａ）は、センサ端末（１Ａ）からの異常信号を受信すると、戸外提示部（２Ａ）にて異常を提示するための提示信号を戸外提示部（２Ａ）に出力する。中継端末（３Ａ）が出力部（第２通信部３３）を含む。出力部は、連動提示信号を他の中継端末（３Ｂ，３Ｃ）に出力する。他の中継端末（３Ｂ，３Ｃ）は、他の施設（１０２，１０３）に設けられている。他の中継端末（３Ｂ，３Ｃ）は、連動提示信号を他の戸外提示部（２Ｂ，２Ｃ）に出力する。
【０１２０】
この態様によれば、中継端末（３Ａ）の処理負担を軽減することができる。
【０１２１】
第８の態様に係る提示システム（１０）は、第１〜７のいずれかの態様において、戸内提示部（６）を更に備える。戸内提示部（６）は、施設（１００）の戸内に設けられ、連動提示信号に従って異常を提示する。
【０１２２】
この態様によれば、施設（１００）の戸内に対しても施設（１００）の異常を提示することができる。
【０１２３】
第９の態様に係る提示システム（１０Ａ）の制御方法は、センサ端末（１Ａ）で検知した異常を、戸外提示部（２Ａ）にて提示する提示システム（１０Ａ）の制御方法である。センサ端末（１Ａ）は、特定領域（２００）に含まれる施設（１０１）に設けられている。戸外提示部（２Ａ）は、施設（１０１）の戸外に設けられている。提示システム（１０Ａ）の制御方法は、他の戸外提示部（２Ｂ，２Ｃ）にて異常を提示するための連動提示信号を、他の戸外提示部（２Ｂ，２Ｃ）に向けて出力する処理を含む。他の戸外提示部（２Ｂ，２Ｃ）は、特定領域（２００）に含まれる他の施設（１０２，１０３）の戸外に設けられている。
【０１２４】
この態様によれば、他の施設（１０２，１０３）に設けられた他の戸外提示部（２Ｂ，２Ｃ）によって、施設（１０１）で発生した異常を他の施設（１０２，１０３）に通知することができる。
【０１２５】
第１０の態様に係るプログラムは、コンピュータシステムに、第９の態様に係る提示システム（１０Ａ）の制御方法を実行させるためのプログラムである。
【０１２６】
この態様によれば、他の施設（１０２，１０３）に設けられた他の戸外提示部（２Ｂ，２Ｃ）によって、施設（１０１）で発生した異常を他の施設（１０２，１０３）に通知することができる。
【０１２７】
第１１の態様に係る中継端末（３Ａ）は、センサ端末（１Ａ）で検知した異常を、戸外提示部（２Ａ）にて提示する提示システム（１０Ａ）に用いられる中継端末（３Ａ）である。センサ端末（１Ａ）は、特定領域（２００）に含まれる施設（１０１）に設けられている。戸外提示部（２Ａ）は、施設（１０１）の戸外に設けられている。中継端末（３Ａ）は、他の戸外提示部（２Ｂ，２Ｃ）にて異常を提示するための連動提示信号を中継する。他の戸外提示部（２Ｂ，２Ｃ）は、特定領域（２００）に含まれる他の施設（１０２，１０３）の戸外に設けられている。
【０１２８】
この態様によれば、他の施設（１０２，１０３）に設けられた他の戸外提示部（２Ｂ，２Ｃ）によって、施設（１０１）で発生した異常を他の施設（１０２，１０３）に通知することができる。
【０１２９】
第２〜８の態様に係る構成については、提示システム（１０；１０Ａ）に必須の構成ではなく、適宜省略可能である。
【符号の説明】
【０１３０】
１Ａ  センサ端末
１Ｂ，１Ｃ  センサ端末（他のセンサ端末）
２Ａ  戸外提示部
２Ｂ，２Ｃ  戸外提示部（他の戸外提示部）
３Ａ  中継端末
３Ｂ，３Ｃ  中継端末（他の中継端末）
６  戸内提示部
１０，１０Ａ  提示システム
１２  通信部（出力部）
３２  第１通信部（出力部）
３３  第２通信部（出力部）
１００，１０１  施設
１０２，１０３  施設（他の施設）
２００  特定領域
【図１】
2020087369.tif 000003
【図２】
2020087369.tif 000004
【図３】
2020087369.tif 000005
【図４】
2020087369.tif 000006
【図５】
2020087369.tif 000007
【図６】
2020087369.tif 000008
【図７】
2020087369.tif 000009
【図８】
2020087369.tif 000010
【図９】
2020087369.tif 000011